(57)【要約】【課題】ページ番号や表裏などを識別するための識別情報を、アルバムにした際には目立たないように記録紙に付与することができるアルバム作成方法および画像処理装置を提供する。【解決手段】画像形成装置を用いて用紙（記録紙）Ｐに画像をプリントするステップと、用紙Ｐの所定位置に複数の孔部４を穿設するステップと、孔部４に綴じ具を挿通して複数の用紙Ｐを綴じるステップと、を備えたアルバム作成方法において、画像形成装置は、アルバムに関する識別情報を、孔部４が穿設される前の複数の被穿孔部３のうち少なくとも１つに形成する。【選択図】図２
2010052167.tif 000002
【特許請求の範囲】
【請求項１】
画像形成装置を用いて記録紙に画像をプリントするステップと、
前記記録紙の所定位置に複数の孔部を穿設するステップと、
前記孔部に綴じ具を挿通して複数の前記記録紙を綴じるステップと、を備えたアルバム作成方法において、
前記画像形成装置は、アルバムに関する識別情報を、孔部が穿設される前の複数の被穿孔部のうち少なくとも１つに形成することを特徴とするアルバム作成方法。
【請求項２】
前記識別情報は、前記被穿孔部に施される模様で構成される請求項１に記載されたアルバム作成方法。
【請求項３】
前記識別情報は、前記アルバムのページに関するページ情報である請求項１または２に記載されたアルバム作成方法。
【請求項４】
前記ページ情報が形成される被穿孔部の位置が、ページにより異なる請求項３に記載されたアルバム作成方法。
【請求項５】
前記識別情報は、両面にプリントされた記録紙の表裏に関する表裏情報である請求項１または２に記載されたアルバム作成方法。
【請求項６】
前記表裏情報は、記録紙の表面にのみ形成される請求項５に記載されたアルバム作成方法。
【請求項７】
前記識別情報は、アルバムの注文オーダに関するオーダ情報である請求項１または２に記載されたアルバム作成方法。
【請求項８】
請求項１〜７のいずれかのアルバム作成方法に用いられ、アルバム画像データ作成部を有する画像処理装置であって、
前記アルバム画像データ作成部は、アルバムに関する識別情報を、孔部が穿設される前の複数の被穿孔部のうち少なくとも１つに形成したアルバム画像データを作成することを特徴とする画像処理装置。
【発明の詳細な説明】
【技術分野】
【０００１】
本発明は、画像形成装置を用いて記録紙に画像をプリントするステップと、前記記録紙の所定位置に複数の孔部を穿設するステップと、前記孔部に綴じ具を挿通して複数の前記記録紙を綴じるステップと、を備えたアルバム作成方法、及びこれに用いられる画像処理装置に関する。
【背景技術】
【０００２】
近年、記録紙に画像をプリントし、プリントされた複数の記録紙を綴じて作成したアルバムの人気が高まっている。このアルバムは、具体的には、画像形成装置を用いて記録紙に画像をプリントした後、プリントされた複数の記録紙の所定位置に機械や手作業にて孔を開け、複数の記録紙をリングやバインダーなどの綴じ具で綴じて作成している（例えば特許文献１）。
【０００３】
通常は、プリント後の記録紙をそのままの順番で重ねた状態にて孔を開けて綴じればよいが、人為的ミスなどにより順番や表裏が乱れてしまう可能性があり、ページ番号や表裏などを識別できる何らかの識別情報が必要となる。
【０００４】
【特許文献１】特開２００２−４９１０６号公報
【発明の開示】
【発明が解決しようとする課題】
【０００５】
しかしながら、これらの識別情報をプリント後の記録紙にそのまま付与すると、アルバムにした際に人目に付きやすく好ましくない。
【０００６】
本発明は、上記実情に鑑みてなされたものであり、ページ番号や表裏などを識別するための識別情報を、アルバムにした際には目立たないように記録紙に付与することができるアルバム作成方法、及びこれに用いられる画像処理装置を提供することにある。
【課題を解決するための手段】
【０００７】
上記課題を解決するため本発明に係るアルバム作成方法は、画像形成装置を用いて記録紙に画像をプリントするステップと、前記記録紙の所定位置に複数の孔部を穿設するステップと、前記孔部に綴じ具を挿通して複数の前記記録紙を綴じるステップと、を備えたアルバム作成方法において、前記画像形成装置は、アルバムに関する識別情報を、孔部が穿設される前の複数の被穿孔部のうち少なくとも１つに形成することを特徴とする。
【０００８】
この構成の作用効果は以下のとおりである。本発明に係るアルバム作成方法は、画像形成装置を用いて記録紙に画像をプリントするステップと、前記記録紙の所定位置に複数の孔部を穿設するステップと、前記孔部に綴じ具を挿通して複数の前記記録紙を綴じるステップと、を備えることで、画像がプリントされた複数の記録紙を綴じたアルバムを作成することができる。このとき、本発明の画像形成装置は、アルバムに関する識別情報を、記録紙の紙面であって、孔部が穿設される前の複数の被穿孔部に形成するので、孔部を穿設する前には識別情報を識別することができる。その一方で、記録紙に孔部を穿設することで、被穿孔部に形成された識別情報は無くなるので、記録紙に孔部を穿設し綴じ具で綴じてアルバムにした際には、商品としては不要な識別情報が目立つことはない。なお、プリントされる画像は、記録紙の片面のみであっても、両面であってもよい。
【０００９】
本発明に係るアルバム作成方法において、前記識別情報は、前記被穿孔部に施される模様で構成されることが好ましい。
【００１０】
この構成によれば、アルバムに関する識別情報が、模様として記録紙の被穿孔部に施されるので、数字などの文字情報に比べ、一目で識別しやすい。模様としては、例えば被穿孔部の位置を塗り潰す模様が好ましい。
【００１１】
本発明に係るアルバム作成方法において、前記識別情報は、前記アルバムのページに関するページ情報であることが好ましい。
【００１２】
アルバムのページに関するページ情報を、記録紙の紙面であって、孔部が穿設される前の複数の被穿孔部に形成することで、プリント後の記録紙のページを識別することができるので、仮にページの順番が乱れてしまった場合にも正しい順番に戻し、アルバムを作成することができる。
【００１３】
本発明に係るアルバム作成方法において、前記ページ情報が形成される被穿孔部の位置が、ページにより異なることが好ましい。
【００１４】
この構成によれば、ページ情報を、例えば複数の被穿孔部が１列に並んでいる場合に、アルバムの１ページ目なら１番目の被穿孔部にのみ、アルバムの２ページ目なら２番目の被穿孔部にのみ形成することができ、これによりプリント後の記録紙のページを識別することができる。
【００１５】
本発明に係るアルバム作成方法において、前記識別情報は、両面にプリントされた記録紙の表裏に関する表裏情報であることが好ましい。
【００１６】
両面にプリントされた記録紙の表裏に関する表裏情報を、記録紙の紙面であって、孔部が穿設される前の複数の被穿孔部に形成することで、プリント後の記録紙の表裏を識別することができるので、記録紙の表裏を誤ることなくアルバムを作成することができる。
【００１７】
本発明に係るアルバム作成方法において、前記表裏情報は、記録紙の表面にのみ形成されることが好ましい。
【００１８】
表裏情報を記録紙の表面にのみ形成することで、容易に表裏情報を形成することができ、また、プリント後の記録紙の表裏を識別することができるので、記録紙の表裏を誤ることなくアルバムを作成することができる。
【００１９】
本発明に係るアルバム作成方法において、前記識別情報は、アルバムの注文オーダに関するオーダ情報であることが好ましい。
【００２０】
アルバムの注文オーダに関するオーダ情報を、記録紙の紙面であって、孔部が穿設される前の複数の被穿孔部に形成することで、注文オーダを識別することができ、別のオーダの記録紙を誤って混在させることなくアルバムを作成することができる。
【００２１】
上記課題を解決するため本発明に係る画像処理装置は、請求項１〜６のいずれかのアルバム作成方法に用いられ、アルバム画像データ作成部を有する画像処理装置であって、前記アルバム画像データ作成部は、アルバムに関する識別情報を、孔部が穿設される前の複数の被穿孔部のうち少なくとも１つに形成したアルバム画像データを作成することを特徴とする。
【００２２】
かかる構成による画像処理装置の作用効果は以下のとおりである。画像処理装置は、アルバム画像データ作成部を有しており、このアルバム画像データ作成部は、アルバムに関する識別情報を、孔部が穿設される前の複数の被穿孔部のうち少なくとも１つに形成したアルバム画像データを作成することができるので、アルバム画像データに基づいて記録紙にアルバム画像をプリントする際に、アルバムに関する識別情報を、アルバムにした際には目立たないように記録紙に付与することができる。
【発明を実施するための最良の形態】
【００２３】
本発明に係るアルバム作成方法の実施形態の一例について図面を用いて説明する。図１は、画像形成装置を含むプリントシステムの主要構成を示している。画像形成装置は、画像処理装置１とプリンタ２とから構成される。なお、図１では、画像処理装置１とプリンタ２は、ネットワーク接続されているが、それらを単一の画像形成装置として構成してもよい。
【００２４】
まず、画像処理装置１について説明する。画像処理装置１の基本的機能として、プリンタ２で実行される写真プリント処理の各種管理手段、写真プリント実行させるための機能手段を備え、例えば、情報処理装置と各種処理のソフトウエアプログラムで構成される。
【００２５】
通信部１１は、各種データの送受信手段であり、公知の通信手段で構成される。画像処理装置１は、現像済みネガフィルムの読み取り機能であるフィルムスキャナー（不図示）とネットワーク接続され、フィルムスキャナーで読み取られたデジタルの画像データ（ＲＧＢ画像データ）が画像処理装置１に送信され、メモリ（例えば、画像データ保存部１０ａ）に保存される。
【００２６】
また、画像処理装置１に、注文者用受付端末とネット受付端末等がネットワーク接続され、それぞれから、オーダ情報および画像データがオーダ単位に送信され、メモリ（例えば、画像データ保存部１０ａ）に保存される。
【００２７】
注文者用受付端末は、例えば店頭に設置され、デジタルカメラの記録メディアやその他の記録メディアに格納された画像データを受け付けることができる。注文者用受付端末は、主として顧客により操作されるものであり、顧客が持参した記録メディアを挿入して、写真プリントの作成対象となる画像データを選択したり、プリント枚数などを設定したりすることができる。ネット受付端末は、インターネットを経由したオンラインでのプリント注文を受け付ける機能を有する。記録媒体読み取り装置は、記録メディアから画像データを読み込む機能のほかに、画像処理装置１あるいはプリンタ２から送信されてきた画像データ、オーダ情報等のデータを記録メディアに書き込む機能を有している。
【００２８】
画像データ保存部１０ａは、後述するアルバム作成データ保存部１０ｂ、オーダ情報保存部１０ｃ、アルバム画像保存部１０ｄ、アルバム識別情報保存部１０ｅと同一の記憶装置で構成されていてもよく別々の記憶装置で構成されていてもよい。
【００２９】
また、画像処理装置１は、写真プリント注文に係る画像データやオーダ情報を管理制御するオーダ管理部１８を備えている。オーダ管理部１８は、プリント処理に関し、プリンタの設定、プリント順序等を設定できる。また、プリント順序に関し、モニターにオーダ情報を表示させ、プリント順序を変更する機能も有する。
【００３０】
アルバム作成データ保存部１０ｂは、アルバムテンプレート情報を保存している。アルバムテンプレート情報は、例えば、１ページ当たりの画像数、画像の配置、関連文字情報の配置、手書き欄の配置、付加画像等を有して構成される。
【００３１】
オーダ情報保存部１０ｃは、プレジャッジ処理されて設定された補正情報、画像データ、オーダ情報等を保存している。オーダ情報は、アルバムの注文オーダに関する情報であり、顧客情報やオーダ内容などが含まれる。
【００３２】
アルバム画像保存部１０ｄは、アルバムを作成するために必要なアルバム画像データを保存している。このアルバム画像データを用いて、アルバム画像を記録紙にプリントすることができる。
【００３３】
アルバム識別情報保存部１０ｅは、アルバムに関する識別情報を保存している。アルバムに関する識別情報としては、ページ情報、表裏情報、オーダ情報などが挙げられる。ページ情報は、アルバムのページに関する情報である。表裏情報は、両面にプリントされた記録紙の表裏に関する情報である。オーダ情報は、顧客情報やオーダ内容などである。
【００３４】
また、画像処理装置１は、各種操作画面としてモニター等の表示手段１９と、各種の入力用にキーボード、マウス等の入力手段を備える。
【００３５】
ジャッジ部１２は、画像データに対するプレジャッジ処理を実行する機能を有する。ジャッジ処理において、所定数のコマ画像をモニターに表示し、コマ画像ごとにプリント条件を設定することができる。例えば、画像データ保存部１０ａに保存された、任意の画像データ（オーダ単位の画像データ）を選択し、所定数（例えば、４コマ、６コマ）のコマ画像をモニターに表示し、表示されたコマ画像に対し、プリント枚数、プリントサイズ、画像の補正情報等のプリント条件を設定することができる。
【００３６】
本発明において、プレジャッジ処理は、画像データに基づいて写真プリントを作成する前に、適切な画質の写真プリントが作成されるか否かを判定するものであり、画像データに対する判定をオペレータが行なうための機能を提供し、かかる機能は主としてソフトウェアにより提供される。なお、プレジャッジ処理は必ず行なわなければならないものではなく、プレジャッジ処理を省略してプリント処理を行うことも可能である。
【００３７】
ジャッジ部１２は、例えば、色や濃度を補正するための補正情報を入力する機能を提供するものであり、かかる補正情報の入力は必要に応じて設定される。その他の補正情報の設定としては、赤目補正、逆光補正などの特殊補正の設定が例としてあげられる。設定された補正情報は、画像データ、オーダ情報に関連づけられてオーダ情報保存部１０ｃに保存される。
【００３８】
アルバム画像データ作成部１３は、１ページ当たりの画像数、画像の配置、関連文字情報の配置、手書き欄の配置、付加画像等が予め設定された複数のアルバムテンプレートから任意のアルバムテンプレートの選択指示入力を受け付けて、この受け付けたアルバムテンプレートに応じて、アルバム画像データを作成する機能を有している。この作成されたアルバム画像データは、アルバム画像保存部１０ｄに保存される。また、アルバム画像データ作成部１３で作成されたアルバム画像データを表示手段１９で表示し、オペレータによる画像の編集が可能に構成される。アルバム画像データ作成部１３は、編集内容に応じてアルバム画像データを編集（再作成）する。
【００３９】
さらに、アルバム画像データ作成部１３は、後述するアルバム識別情報作成部１５で作成されたアルバムに関する識別情報を、アルバムテンプレートの所定位置に配置してアルバム画像データを作成する機能を有している。所定位置は、選択されたアルバムテンプレートによって異なる。
【００４０】
プリント用画像データ作成部１４は、ジャッジ部１２で設定されたプリント条件の補正データ、プリントサイズ等の補正情報に基づいて、それに対応する画像データを画像処理し、プリント用画像データ（ＲＧＢ画像データである）を作成する機能を有している。プリント用画像データ作成部１４は、コンピュータプログラムと、ＣＰＵ、メモリ等ハードウエア資源との協働作用によって実現する構成や、また、専用回路で構成された画像処理基板での構成が例示される。画像処理基板としては、例えば、入力メモリ、画像処理回路部、展開メモリにより構成され、画像処理回路部において所定の画像処理が行なわれる。具体的には、プレジャッジ処理等の補正データに基づく色・濃度の補正、設定されたプリントサイズに従ったデータの拡縮処理などである。ここで作成されたプリント用画像データは、プリンタ２側に通信部１１によって送信される。また、プリント用画像データ作成部１４は、アルバム画像データ作成部１３によって作成されたアルバム画像データをコマ画像ごとの補正情報に応じて画像処理する機能を有する。
【００４１】
アルバム識別情報作成部１５は、アルバムに関する識別情報を作成する機能を有している。この識別情報は、プリンタ２によって記録紙にプリントされる。アルバムに関する識別情報としては、上述したように、ページ情報、表裏情報などがある。例えば、アルバムのページ数は、プリントされる総画像数、１ページ当たりの画像数などから決定され、これにより、ページ情報が作成され、同時に記録紙の表裏情報も作成される。
【００４２】
プリント制御部１６は、プリント指示を受け付けると、少なくとも画像データに基づいてプリント用画像データを作成する指令をプリント用画像データ作成部１４に行ない、これに応じてプリント用画像データ作成部１４でプリント用画像データが作成される。
【００４３】
アルバムプリント制御部１７は、アルバム画像データ作成部１３で作成されたアルバム画像データをプリントできるように、プリンタ２を制御する機能を有している。すなわち、作成されたアルバム画像データを通信部１１を介してプリンタ２に送信し、プリンタ２において、写真プリント処理が実行される。
【００４４】
プリンタ２はインクジェットプリンタとして構成されている。なお、プリンタ２は、インクジェットプリンタに限定されず、熱転写式プリンタ、レーザープリンタ、銀塩式プリンタでも構成できる。
【００４５】
プリンタ２の主要機能について説明する。プリンタ２は、各種データ通信のための通信部（不図示）を備える。この通信部は、画像処理装置１からアルバム画像データを受信し、不図示のメモリに保存する。また、プリンタ２は、情報処理装置を備えている。情報処理装置はインクジェットプリンタに組み込まれていてもよく、別体として切り離せる構成でもよい。情報処理装置としてはパーソナルコンピュータが例示される。
【００４６】
ＲＩＰ処理部（不図示）を有し、このＲＩＰ処理部はＲＩＰ処理を実行する機能である。ＲＩＰ処理部は、写真プリント処理に係るＲＧＢ画像データのプリント用画像データを、ＲＩＰ処理し、ＣＭＹＫごとのグレースケールデータに展開する。ここでのＲＩＰ処理部は、ソフトウエアプログラムと上述の情報処理装置のハードウエア資源（ＣＰＵ、メモリ等）との協働作用で構成される。
【００４７】
プリント処理は以下の流れである。用紙ストック部２０に枚葉のインクジェット用の用紙（記録紙に相当）Ｐがストックされ、用紙送り機構によって用紙Ｐが１枚ずつ下流側に搬送される構成である。搬送された用紙Ｐは、図面上、下側の印刷部（不図示）の吸引部２２によって吸引されて一次保持される。印刷部は、ＣＭＹＫごとのグレースケールデータに基づいて印刷処理する。印刷部は、ＣＭＹＫのそれぞれのプリントヘッド２１を備えている。プリントヘッド２１は、間欠搬送される用紙Ｐに対し、プリントヘッド２１が主走査方向に一走査し、この走査時に、各色のインク吐出ノズルからインクが吐出し、用紙Ｐの表面に付着する。この間欠搬送、主走査動作およびインク吐出動作を繰り返すことで、用紙Ｐの印刷領域に画像が形成される。画像形成するためのデータ（ＣＭＹＫごとのグレースケールデータ）により、各インク吐出ノズルからの吐出量、吐出座標が算出される。この吐出量、吐出座標に基づいてインク吐出ノズルが制御される。インク吐出の方法としては、インクが充填された圧力室内の容積がピエゾ素子によって変化することで、圧力室に連通するインク吐出ノズルからインクを吐出する一般的なピエゾ方式が例示される。これらの制御手段は、ＣＰＵ（ＭＰＵを含む）、メモリ、バス等のハードウエアと、各種制御手順を記述したプログラムソフトウエアとで構成してもよく、専用回路、ファームウエア等の組合せによって構成してもよい。
【００４８】
プリントヘッド２１は、その底面に多数のインク吐出ノズルが設けられたヘッドユニットが副走査方向に２段に並んで配置されている構成であってもよく、１段や３段以上の構成でもよい。例えば、ヘッドユニットは７つのノズルアレイから構成され、各ノズルアレイにおいて、インク吐出ノズルが副走査方向に列状に配置される。これによって、各ヘッドユニットはそれ単体でカラー画像を形成することが可能である。
【００４９】
次いで、画像形成された用紙Ｐは、切断部２３に搬送される。片面印刷の場合に、切断部２３（例えば、回転刃）は、用紙幅方向に移動することで、用紙Ｐ中の不必要部分を切断する。なお、両面印刷の場合は、両面印刷終了後に切断処理を実行してもよい。次いで、搬送下流側の乾燥手段２４によって、用紙Ｐの画像形成面を乾燥させる。乾燥処理された用紙Ｐは、図面上、上側に搬送される。そして、両面印刷する場合に、用紙Ｐはリバース機構２５で挟持されて、裏面が印刷されるように印刷部側に搬送される構成である。印刷部では裏面に印刷処理をし、次いで必要に応じて切断処理し、次いで乾燥処理し、搬送下流側の排出部２６に両面印刷された用紙Ｐ２が排出される。排出部２６は、仕分け手段（不図示）を備え、これによって、オーダごとに仕分け処理が行なわれる。
【００５０】
（アルバム作成方法）
次に、本実施形態のアルバム作成方法について説明する。まず、アルバム作成のオーダを受け付けると、上述したプリントシステムにより、画像データに基づいてアルバム画像データを作成し、作成されたアルバム画像データがプリンタ２に送信され、プリンタ２において、アルバム画像データに基づく写真プリント処理が実行される。なお、本実施形態では、両面に画像をプリントした複数の用紙Ｐを綴じることでアルバムを作成する例を示すが、もちろん、片面のみに画像をプリントした複数の用紙Ｐを綴じることでアルバムを作成してもよい。
【００５１】
一般的には、プリントシステムにより両面印刷された複数の用紙Ｐ（Ｐ２）は、所定の被穿孔部３の位置に、孔部４が複数穿設される。図２は、用紙Ｐに孔部４を穿設する前後の状態を示しており、（ａ）は孔部４を穿設する前の被穿孔部３を破線で示し、（ｂ）は孔部４を実線で示している。穿設された孔部４にリング（綴じ具に相当）を挿通し、複数の用紙Ｐを綴じることによりアルバムを作成する。孔部４の形状としては、図２のような四角孔のみならず、丸孔などであってもよい。また、図２では、用紙Ｐの端部近傍に孔部４が８個並べて穿設される例を示すが、孔部４の数は適宜設定可能である。
【００５２】
用紙Ｐの孔部４は、不図示のパンチで穿設される。パンチは、穿孔用の突出刃を複数並設した可動刃と、突出刃が入り込む開口を複数形成した固定刃とを備え、可動刃と固定刃との間に、複数の用紙Ｐを重ねた状態で挟み込むことで、複数の孔部４を穿設することができる。このようなパンチは、公知のものを使用することができる。
【００５３】
本発明に係るアルバム作成方法では、用紙Ｐに孔部４を穿設する前に、アルバムに関する各種の識別情報をプリンタ２により用紙Ｐに形成することを特徴とする。識別情報の形成は、アルバム画像データに基づく写真プリント処理の際に同時に行なうことができる。これらの識別情報は、用紙Ｐの紙面であって、孔部４が穿設される前の被穿孔部３に形成される。すなわち、孔部４が穿設された後には用紙Ｐには識別情報が残らないように形成される。
【００５４】
例えば、ページ情報は、アルバム識別情報保存部１０ｅに保存されており、保存されたページ情報に基づいて、プリンタ２により被穿孔部３に形成される。図３に、用紙Ｐにページ情報を形成する例を示す。この例では、アルバムの１枚目の用紙Ｐであれば、用紙Ｐの表面の被穿孔部３のうち、１番上の被穿孔部３の位置に識別情報を形成し、アルバムの２枚目の用紙Ｐであれば、用紙Ｐの表面の被穿孔部３のうち、上から２番目の被穿孔部３の位置に識別情報を形成するというように、それぞれの用紙Ｐの被穿孔部３に上から順に識別情報を形成する。これにより、用紙Ｐの１番上の被穿孔部３の位置に識別情報が形成されたページは、アルバムの１ページ目であり、この用紙Ｐの裏面はアルバムの２ページ目であることが分かる。また、用紙Ｐの上から２番目の被穿孔部３の位置に識別情報が形成されたページは、アルバムの３ページ目であり、この用紙Ｐの裏面はアルバムの４ページ目であることが分かる。同様にして、アルバムの何ページ目であるかが容易に判別可能である。ここでは、識別情報として、該当する被穿孔部３の位置を塗り潰す例を示しているが、複数の被穿孔部３のいずれか１つにページ数を直接形成するなどしてもよい。
【００５５】
また、表裏情報は、アルバム識別情報保存部１０ｅに保存されており、保存された表裏情報に基づいて、プリンタ２により被穿孔部３に形成される。図４に、用紙Ｐに表裏情報を形成する例を示す。この例では、用紙Ｐの表面にのみ識別情報を形成し、裏面には識別情報を形成していない。すなわち、これにより、識別情報が形成されている面が用紙Ｐの表面であり、識別情報が形成されていない面が用紙Ｐの裏面であることが容易に判別することができる。このように、用紙Ｐの片面にのみ識別情報を形成することは、プリント時間の短縮や、コスト削減の観点からも好ましい。
【００５６】
また、オーダ情報は、オーダ情報保存部１０ｃに保存されており、保存されたオーダ情報に基づいて、プリンタ２により被穿孔部３に形成される。オーダ情報には、顧客情報やオーダ内容などが含まれるが、オーダ情報をオーダ毎に別の番号となるようにオーダ番号化するなどして、他のオーダと判別可能となるようにする。また、オーダによって、被穿孔部３に形成する識別情報の色を変更するなどして、他のオーダと判別可能となるようにしてもよい。
【００５７】
なお、識別情報が形成される被穿孔部以外の被穿孔部３、具体的には、図３および図４において破線で示す被穿孔部３の位置には、必ずしも図のような目印となる破線を形成する必要はない。
【００５８】
上記の各識別情報の大きさは、被穿孔部３、すなわち穿設される孔部４よりも小さいことが好ましい。孔部４を穿設する際の誤差により、孔部４を穿設した後にも、用紙Ｐに識別情報が残ってしまうことを防ぐためである。
【図面の簡単な説明】
【００５９】
【図１】画像形成装置を含むアルバムプリントシステムの主要構成を示す図
【図２】用紙に孔部を穿設する前後の状態を示す図
【図３】用紙にページ情報を形成する一例を示す図
【図４】用紙に表裏情報を形成する一例を示す図
【符号の説明】
【００６０】
Ｐ    用紙
１    画像処理装置
２    プリンタ
３    被穿孔部
４    孔部
１０ａ  画像データ保存部
１０ｂ  アルバム作成データ保存部
１０ｃ  オーダ情報保存部
１０ｄ  アルバム画像保存部
１０ｅ  アルバム識別情報保存部
１３    アルバム画像データ作成部
１５    アルバム識別情報作成部
１６    プリント制御部
１７    アルバムプリント制御部
【図１】
2010052167.tif 000003
【図２】
2010052167.tif 000004
【図３】
2010052167.tif 000005
【図４】
2010052167.tif 000006